(57)【要約】【課題】  箸先側を多く汚さずに食事をするという、使用者の、箸使いに対する意識付けに配慮された箸を提供する。【解決手段】  箸１は、一対の箸片１ａ、１ａからなる。そして、箸片１ａには、その箸先側において飲食物に触れる部分として使用される範囲を構成する使用領域部２と、その使用領域部２以外の本体部分３との境界４が表されている。この境界４は、使用領域部２と使用領域部２以外の本体部分３とが、表面の色を互いに異にすることによって表される。【選択図】  図１
0003148899.tif 000002
【実用新案登録請求の範囲】
【請求項１】
一対の箸片からなる箸であって、
前記箸片には、その箸先側において飲食物に触れる部分として使用される範囲を構成する使用領域部と、その使用領域部以外の本体部分との境界が表されてなる箸。
【請求項２】
前記使用領域部と前記使用領域部以外の前記本体部分とが、表面の色、模様および形状のうちの、少なくとも一つを互いに異にすることによって、前記境界が表されてなる、請求項１に記載の箸。
【請求項３】
前記使用領域部に、前記使用領域部以外の前記本体部分の表面の色とは異なる色の塗料が塗布されてなる、請求項２に記載の箸。
【請求項４】
前記箸片の素材には、木あるいは竹が用いられ、かつ、
前記使用領域部以外の前記本体部分は、前記素材が露出している、請求項３に記載の箸。
【請求項５】
前記箸片の前記箸先側に、前記使用領域部およびその使用領域部を越えて、第１の塗料が塗布されるとともに、その使用領域部に、前記第１の塗料に塗り重ねるようにして、前記第１の塗料の色とは異なる色の第２の塗料が塗布され、かつ、
前記第１の塗料および前記第２の塗料は、漆塗料あるいは漆を主体とした塗料からなる、請求項２に記載の箸。
【請求項６】
前記箸片の素材には、木あるいは竹が用いられ、かつ、
前記使用領域部以外の前記本体部分の、前記第１の塗料が塗布されていない部分は、前記素材が露出している、請求項５に記載の箸。
【請求項７】
前記箸片の表面に、その箸片の周方向に沿って、前記境界を示す境界線が形成されてなる、請求項１に記載の箸。
【請求項８】
前記箸片の素材には、木あるいは竹が用いられ、かつ、
前記使用領域部および前記使用領域部以外の前記本体部分は、前記素材が露出している、請求項７に記載の箸。
【請求項９】
前記箸は、割り箸からなり、前記一対の箸片は、その箸頭側で繋がって一体となって形成されてなる、請求項１、４または８に記載の箸。
【請求項１０】
前記箸片の、前記箸先の先端から１．５〜４．０ｃｍまでが、前記使用領域部となっている、請求項１ないし９のいずれか１項に記載の箸。
【考案の詳細な説明】
【技術分野】
【０００１】
この考案は、飲食用具としての箸に関する。
【背景技術】
【０００２】
食事における箸使いにおいて、「箸先五分、長くて一寸」といわれるように、箸の先端から１．５〜３．０ｃｍ（または、１．５〜４．０ｃｍ）程度までを、飲食物に触れる範囲として使用するのが望ましいとされている。この箸使いは、箸先側を多く汚さないことを良しとする、美意識に基づくものである。
【考案の開示】
【考案が解決しようとする課題】
【０００３】
しかしながら、従来にあっては、このような箸使いに対する意識付けに配慮された箸は、提供されていなかった。
【０００４】
この考案は、上記した問題点に鑑みてなされたものであり、その目的とするところは、箸先側を多く汚さずに食事をするという、使用者の、箸使いに対する意識付けに配慮された箸を提供することにある。
【０００５】
また、他の目的としては、望ましい箸使いの習得に好適に用いることができる箸を提供することにある。
【課題を解決するための手段】
【０００６】
この考案に係る箸は、前記目的を達成するために、次の構成からなる。すなわち、
請求項１に記載の考案に係る箸は、一対の箸片からなる箸であって、前記箸片には、その箸先側において飲食物に触れる部分として使用される範囲を構成する使用領域部と、その使用領域部以外の本体部分との境界が表されている。この箸にあっては、箸片に、使用領域部と使用領域部以外の本体部分との境界が表されているため、使用者は、箸片の、飲食物に触れる範囲を目視することができる。これにより、箸先側を多く汚さずに食事をするという、使用者の、箸使いに対する意識が高まる。また、この箸を、望ましい箸使いの習得に好適に用いることができる。
【０００７】
また、請求項２に記載の考案に係る箸のように、請求項１に記載の箸において、前記使用領域部と前記使用領域部以外の前記本体部分とが、表面の色、模様および形状のうちの、少なくとも一つを互いに異にすることによって、前記境界が表されてもよい。
【０００８】
また、請求項３に記載の考案に係る箸のように、請求項２に記載の箸において、前記使用領域部に、前記使用領域部以外の前記本体部分の表面の色とは異なる色の塗料が塗布されてもよい。
【０００９】
また、請求項４に記載の考案に係る箸のように、請求項３に記載の箸において、前記箸片の素材には、木あるいは竹が用いられ、かつ、前記使用領域部以外の前記本体部分は、前記素材が露出してもよい。
【００１０】
また、請求項５に記載の考案に係る箸のように、請求項２に記載の箸において、前記箸片の前記箸先側に、前記使用領域部およびその使用領域部を越えて、第１の塗料が塗布されるとともに、その使用領域部に、前記第１の塗料に塗り重ねるようにして、前記第１の塗料の色とは異なる色の第２の塗料が塗布され、かつ、前記第１の塗料および前記第２の塗料は、漆塗料あるいは漆を主体とした塗料からなってもよい。
【００１１】
また、請求項６に記載の考案に係る箸のように、請求項５に記載の箸において、前記箸片の素材には、木あるいは竹が用いられ、かつ、前記使用領域部以外の前記本体部分の、前記第１の塗料が塗布されていない部分は、前記素材が露出してもよい。
【００１２】
また、請求項７に記載の考案に係る箸のように、請求項１に記載の箸において、前記箸片の表面に、その箸片の周方向に沿って、前記境界を示す境界線が形成されてもよい。
【００１３】
また、請求項８に記載の考案に係る箸のように、請求項７に記載の箸において、前記箸片の素材には、木あるいは竹が用いられ、かつ、前記使用領域部および前記使用領域部以外の前記本体部分は、前記素材が露出してもよい。
【００１４】
また、請求項９に記載の考案に係る箸のように、請求項４または８に記載の箸において、前記箸は、割り箸からなり、前記一対の箸片は、その箸頭側で繋がって一体となって形成されてもよい。
【００１５】
また、請求項１０に記載の考案に係る箸のように、請求項１ないし９のいずれか１項に記載の箸において、前記箸片の、前記箸先の先端から１．５〜４．０ｃｍまでが、前記使用領域部となっているのが好ましい。
【考案の効果】
【００１６】
この考案に係る箸によれば、箸先側を多く汚さずに食事をするという、使用者の、箸使いに対する意識付けに配慮されている。また、望ましい箸使いの習得に好適に用いることができる。
【考案を実施するための最良の形態】
【００１７】
以下、この考案を実施するための最良の形態を図面に基づいて説明する。
【００１８】
図１は、本考案の一実施の形態を示す。図中符号１は、箸であって、一対の箸片１ａ、１ａからなる。
【００１９】
ここで、箸片１ａには、その箸先側において飲食物に触れる部分として使用される範囲を構成する使用領域部２と、その使用領域部２以外の本体部分３との境界４が表されている。詳細には、使用領域部２と使用領域部２以外の本体部分３とが、表面の色、模様および形状のうちの、少なくとも一つ（図示実施の形態においては、表面の色）を互いに異にすることによって、境界４が表されている。
【００２０】
具体的には、箸片１ａの素材（素地）には、例えば、木あるいは竹が用いられる。そして、使用領域部２には、使用領域部２以外の本体部分３の表面の色とは異なる色の塗料５が塗布されている。詳細には、箸片１ａの全体に、第１の塗料５ａが塗布された後、さらに、使用領域部２に、第１の塗料５ａに塗り重ねるようにして、前記塗料５としての第２塗料５ｂ（すなわち、第１の塗料５ａの色とは異なる色の第２塗料５ｂ）が塗布されている。図示実施の形態においては、第２の塗料５ｂ（塗料５）は、例えば、生漆、透漆、黒漆、糊漆または紋漆等の漆塗料、あるいは、漆を主体とした塗料（例えば、漆に人体に有益な成分を混入した塗料等）からなる。そして、前述した漆塗料あるいは漆を主体とした塗料については、漆の精製時における水分の蒸発量を増減する等して濃度を調節することにより、塗料の色合いを調節してもよい。さらには、箸片１ａに第２の塗料５ｂ（塗料５）としての生漆を塗布した後に、鉄分を加えた乾漆粉等を定着させてもよい。
【００２１】
また、第１の塗料５ａについては、前述した漆塗料あるいは漆を主体とした塗料からなってもよいし、それ以外の塗料、例えば、柿渋塗料、蜜蝋塗料、亜麻仁油塗料などの天然塗料あるいは天然塗料を主体とした塗料であってもよく、また、合成樹脂塗料であってもよい。ここにおいて、第１の塗料５ａおよび第２の塗料５ｂ（塗料５）が、ともに前述した漆塗料あるいは漆を主体とした塗料からなる場合にあっては、例えば、それら第１の塗料５ａと第２の塗料５ｂ（塗料５）とが、その濃度を互いに異にすることで、互いに色の異なる塗料としてもよい。
【００２２】
また、図示実施の形態においては、箸片１ａの、箸先の先端１ｂから４．０ｃｍまでの領域に、第２の塗料５ｂ（塗料５）が塗布されている。すなわち、箸片１ａの、箸先の先端１ｂから４．０ｃｍまでが、使用領域部２となっている。こうして、箸片１ａには、第２の塗料５ｂ（塗料５）が塗布された使用領域部２と、第１の塗料５ａが塗布された、使用領域部２以外の本体部分３との、境界４が表されている。なお、使用領域部２の範囲については、好ましくは、箸先の先端１ｂから１．５〜４．０ｃｍの範囲、さらに好ましくは、箸先の先端１ｂから１．５〜３．０ｃｍの範囲とする。
【００２３】
次に、以上の構成からなる箸１の作用効果について説明する。この箸１にあっては、箸片１ａの使用領域部２と使用領域部２以外の本体部分３とが、表面の色を互いに異にすることによって、その箸片１ａに境界４が表されているため、使用者は、箸片１ａの、飲食物に触れる範囲を目視することができる。これにより、箸先側を多く汚さずに食事をするという、使用者の、箸使いに対する意識が高まる。また、この箸１を、望ましい箸使いの習得に好適に用いることができる。
【００２４】
なお、本考案は、上述した実施の形態に限定されるわけではなく、その他種々の変更が可能である。例えば、図２に示すように、使用領域部２と使用領域部２以外の本体部分３とが、表面の模様を互いに異にすることによって、境界４が表されてもよい。図示実施の形態においては、箸片１ａの全体に、塗料６ａ（詳細には、前述した漆塗料あるいは漆を主体とした塗料からなる塗料６ａ）が塗布された後、さらに、使用領域部２に、箸片１ａの長手方向に沿って一定の間隔を置くようにして、塗料６ａの色とは異なる色の他の塗料６ｂ（詳細には、前述した漆塗料あるいは漆を主体とした塗料からなる他の塗料６ｂ）が塗布されている。これにより、使用領域部２以外の本体部分３には模様は形成されず、使用領域部２には、塗料６ａと他の塗料６ｂとによる縞模様が形成される。なお、使用領域部２以外の本体部分３に、使用領域部２に形成された模様とは異なる模様が形成されてもよい。また、使用領域部２に模様が形成されず、使用領域部２以外の本体部分３に模様が形成されてもよい。また、使用領域部２または／および使用領域部２以外の本体部分３に形成される模様は、縞模様に限定されず、種々の模様が形成されてもよい。
【００２５】
また、図３に示すように、使用領域部２と使用領域部２以外の本体部分３とが、表面の形状を互いに異にすることによって、境界４が表されてもよい。図示実施の形態においては、箸片１ａには、使用領域部２の表面に、その全体に渡って凹凸が形成されている。詳細には、使用領域部２の周面が、箸片１ａの長手方向に沿って一定の間隔を置いて削り取られており、前記凹凸が、前記長手方向に沿って交互に連続するように形成されている。なお、この図示実施の形態においては、箸片１ａの全体に、塗料６ａ（詳細には、前述した漆塗料あるいは漆を主体とした塗料からなる塗料６ａ）が塗布されているが、必ずしも塗料６ａが塗布されなくてもよい。
【００２６】
また、図４および図５に示すように、使用領域部２以外の本体部分３は、箸片１ａの素材（素地）が露出してもよい。ここにおいて、図４に示す箸１にあっては、使用領域部２以外の本体部分３の全体に渡って、前記素材としての前記木あるいは竹が露出している。そして、箸片１ａには、塗料５が塗布された使用領域部２と、前記素材としての前記木あるいは竹が露出した、使用領域部２以外の本体部分３との、境界４が表されている。また、図５に示す箸１にあっては、使用領域部２以外の本体部分３の一部分において、箸片１ａの素材（素地）が露出している。詳細には、箸片１ａの箸先側に、使用領域部２およびその使用領域部２を越えて（具体的には、使用領域部２より、例えば、１．０〜３．０ｃｍ程越えて）、前記第１の塗料５ａ（詳細には、前述した漆塗料あるいは漆を主体とした塗料からなる第１の塗料５ａ）が塗布されるとともに、その使用領域部２に、第１の塗料５ａに塗り重ねるようにして、前記第２の塗料５ｂ（塗料５）が塗布されている。これにより、箸片１ａには、第２の塗料５ｂ（塗料５）が塗布された使用領域部２と、第１の塗料５ａが塗布された、使用領域部２以外の本体部分３との、境界４が表されている。そして、使用領域部２以外の本体部分３の、第１の塗料５ａが塗布されていない部分Ｘは、前記素材としての前記木あるいは竹が露出している。
【００２７】
また、使用領域部２と使用領域部２以外の本体部分３とが、表面の色、模様および形状のうちの、二つ以上を互いに異にすることによって、境界４が表されてもよい。ここで、例えば、図３に示される箸１において、使用領域部２と使用領域部２以外の本体部分３とに、互いに色の異なる塗料が塗布されてもよい。また、図２および図３に示される箸１において、使用領域部２以外の本体部分３は、前記素材としての前記木あるいは竹が露出してもよい。
【００２８】
また、図６に示すように、箸片１ａの表面に、その箸片１ａの周方向に沿って、境界４を示す境界線７が形成されてもよい。図示実施の形態においては、箸片１ａの周面を一周するように塗料が塗布されることによって、境界線７が形成されるとともに、使用領域部２および使用領域部２以外の本体部分３は、前記素材としての前記木あるいは竹が露出している。なお、境界線７は、塗料が塗布されることによって形成されなくてもよく、例えば、箸片１ａの表面に切込みを入れることによって形成されてもよい。また、境界線７は、箸片１ａの周面を一周するようにして形成されなくてもよく、前記周方向に沿って部分的に形成されてもよい。
【００２９】
また、使用領域部２および使用領域部２以外の本体部分３は、前記素材としての前記木あるいは竹が露出しなくてもよく、塗料（例えば、前述した漆塗料あるいは漆を主体とした塗料等）が塗布されてもよい。ここにおいて、例えば、図７に示すように、箸片１ａの箸先側に、使用領域部２およびその使用領域部２を越えて、塗料６ａ（詳細には、前述した漆塗料あるいは漆を主体とした塗料からなる塗料６ａ）が塗布されるとともに、その塗料６ａが塗布された部分に、箸片１ａの周方向に沿って、境界４を示す境界線７が形成され、これにより、使用領域部２以外の本体部分３の、塗料６ａが塗布されていない部分Ｘは、前記素材としての前記木あるいは竹が露出してもよい。また、図８に示すように、境界４を示す境界線７が形成される箸１は、割り箸からなり、一対の箸片１ａ、１ａは、その箸頭側で繋がって一体となって形成されてもよい。さらには、このように箸片１ａに境界４を示す境界線７が形成される場合においても、使用領域部２と使用領域部２以外の本体部分３とが、表面の色、模様および形状のうちの、少なくとも一つを互いに異にしてもよい。
【００３０】
また、図９に示すように、使用領域部２以外の本体部分３の、使用領域部２側に、その周面を削り取るようにして段部８を形成することによって、境界４が表されてもよい。なお、この段部８は、使用領域部２の、使用領域部２以外の本体部分３側に形成されてもよい。また、この図示実施の形態においては、箸片１ａの全体に、塗料６ａ（詳細には、前述した漆塗料あるいは漆を主体とした塗料からなる塗料６ａ）が塗布されているが、必ずしも塗料６ａが塗布されなくてもよい。また、段部８が形成された箸片１ａの箸先側に、使用領域部２およびその使用領域部２を越えて、塗料６ａが塗布されるとともに、使用領域部２以外の本体部分３の、塗料６ａが塗布されていない部分は、前記素材としての前記木あるいは竹が露出してもよい。さらには、このように箸片１ａに段部８が形成された場合においても、使用領域部２と使用領域部２以外の本体部分３とが、表面の色、模様および形状のうちの、少なくとも一つを互いに異にしてもよい。
【００３１】
また、使用領域部２と使用領域部２以外の本体部分３とが互いに別体に形成されるとともに、それら使用領域部２と使用領域部２以外の本体部分３とに、着脱手段（例えば、ネジ機構など）が設けられ、使用領域部２が、使用領域部２以外の本体部分３に対して着脱可能に取り付けられてもよい。この場合にあっては、使用領域部２が取り付けられたときに形成される、使用領域部２と使用領域部２以外の本体部分３との境目によって、境界４が表されることとなる。なお、このように使用領域部２と使用領域部２以外の本体部分３とが互いに別体に形成された場合においても、使用領域部２と使用領域部２以外の本体部分３とが、表面の色、模様および形状のうちの、少なくとも一つを互いに異にしてもよい。
【００３２】
また、第２の塗料５ｂ（塗料５）、図５に示される第１の塗料５ａ、塗料６ａおよび他の塗料６ｂは、必ずしも漆塗料あるいは漆を主体とした塗料でなくてもよく、例えば、柿渋塗料、蜜蝋塗料、亜麻仁油塗料などの天然塗料あるいは天然塗料を主体とした塗料であってもよいし、また、合成樹脂塗料であってもよい。
【００３３】
また、使用領域部２以外の本体部分３に、例えば、文字、言葉、記号、図形等が付されていてもよい。
【００３４】
ところで、図４、図５および図７に示される箸１にあっては、その箸１の使用者（購入者）の手の大きさに合うように箸片１ａの長さを設定したり、箸片１ａに任意のデザインを施したりすることが可能な、自分好みの箸を製作するための箸木地（箸生地）として用いることができる。この箸木地（箸生地）として用いられる箸１にあっては、箸片１ａの長さが、一般的に使用される箸の長さよりも、やや長めに形成されている。また、箸片１ａには、前述したように、使用領域部２と使用領域部２以外の本体部分３との境界４が表されている。そして、図４に示す箸１においては、使用領域部２以外の本体部分３に、また、図５および図７に示す箸１においては、使用領域部２以外の本体部分３の、第１の塗料５ａ（または塗料６ａ）が塗布されていない部分Ｘに、前記使用者（購入者）が絵付け、模様付け、切削、彫込み等によって任意のデザインを施すことができるようになっている。したがって、この箸１は、使用者（購入者）によって、その使用者（購入者）の手の大きさに合うように、箸片１ａの基端部分（頭の部分）が切り落とされるとともに、必要に応じて、その箸頭を丸めるなどの切削加工を施して、箸片１ａの長さが調節される。そして、使用領域部２以外の本体部分３、あるいは、使用領域部２以外の本体部分３の、第１の塗料５ａ（または塗料６ａ）が塗布されていない部分Ｘに、使用者（購入者）によって任意のデザインが施される。その後、この箸１は、箸１の製造者または販売者に一旦戻されるとともに、その製造者または販売者によって、前記デザインが施された部分に、例えば、透明な塗料の塗布等のコーティング処理がなされてから、再び使用者（購入者）に渡される。もっとも、前記デザインが施された部分のコーティング処理は、前記製造者または販売者ではなく、使用者（購入者）自身が行ってもよい。なお、必要によっては、使用領域部２以外の本体部分３、あるいは、使用領域部２以外の本体部分３の、第１の塗料５ａ（または塗料６ａ）が塗布されていない部分Ｘに、下地塗料が塗布されてもよい。
【００３５】
また、箸片１ａの素材（素地）には、木あるいは竹が用いられなくてもよく、木あるいは竹以外の素材、例えば、プラスチック素材等が用いられてもよい。
【図面の簡単な説明】
【００３６】
【図１】この考案の第一の実施の形態の、箸の正面図である。
【図２】この考案の第二の実施の形態の、箸の正面図である。
【図３】この考案の第三の実施の形態の、箸の正面図である。
【図４】この考案の第四の実施の形態の、箸の正面図である。
【図５】この考案の第五の実施の形態の、箸の正面図である。
【図６】この考案の第六の実施の形態の、箸の正面図である。
【図７】この考案の第七の実施の形態の、箸の正面図である。
【図８】この考案の第八の実施の形態の、箸の正面図である。
【図９】この考案の第九の実施の形態の、箸の正面図である。
【符号の説明】
【００３７】
１    箸
１ａ  箸片
２    使用領域部
３    本体部分
４    境界
５    塗料
５ａ  第１の塗料
５ｂ  第２の塗料
７    境界線
【図１】
0003148899.tif 000003
【図２】
0003148899.tif 000004
【図３】
0003148899.tif 000005
【図４】
0003148899.tif 000006
【図５】
0003148899.tif 000007
【図６】
0003148899.tif 000008
【図７】
0003148899.tif 000009
【図８】
0003148899.tif 000010
【図９】
0003148899.tif 000011